【手続補正書】
【提出日】平成18年12月18日(2006.12.18)
【手続補正１】
【補正対象書類名】明細書
【補正対象項目名】特許請求の範囲
【補正方法】変更
【補正の内容】
【特許請求の範囲】
【請求項１】  少なくとも１つの第１のだぼボルト穴（１３６）を有する炉心スプレー管路の下降管（２０）を、原子炉（１０）内の炉心シュラウド（１２）に連結するための下降管連結装置（３６）において、
前記下降管（２０）と係合すべきくさびハウジング（４８）であって、少なくとも１つの第２のだぼボルト穴（１０２）を有するくさびハウジング（４８）と、
前記くさびハウジング（４８）と係合すべきくさびフランジ（４０）と、
前記くさびハウジング（４８）内に配置された複数のセグメント（８４）を有するくさび（４４）と、
各々が前記くさびハウジング（４８）内の前記第２のだぼボルト穴（１０２）と前記第１のだぼボルト穴（１３６）とを貫通するように構成された少なくとも１つのだぼボルト（７４）、
とを含むことを特徴とする下降管連結装置（３６）。
【請求項２】  前記くさびフランジ（４０）及び前記くさびハウジング（４８）の各々が少なくとも１つのくさびフランジボルト穴を有すると共に、前記装置（３６）が互いに整列した前記くさびフランジボルト穴を貫通して延びるように形成された少なくとも１本のくさびフランジボルト（７２Ａ，７２Ｂ）を更に含む請求項１記載の下降管連結装置（３６）。
【請求項３】  円筒形の管（５２）及びエルボ（５６）を更に含み、前記管（５２）の第１の末端（１０８）は前記くさびハウジング（４８）に連結され、かつ前記エルボ（５６）は前記管の第２の末端（１１２）に連結されている請求項１または２に記載の下降管連結装置（３６）。
【請求項４】  前記エルボの第２の末端（１１８）に連結された下部フランジ（６２）を更に含んでいて、前記エルボの第２の末端（１１８）は前記炉心シュラウド（１２）に連結されるように構成されている請求項３記載の下降管連結装置（３６）。
【請求項５】  前記下部フランジ（６２）が少なくとも１つの下部フランジボルト穴を有すると共に、前記下降管連結装置（３６）が前記下部フランジボルト穴を貫通して延びる少なくとも１本の下部フランジボルト（７６）を更に含む請求項４記載の下降管連結装置（３６）。
【請求項６】  前記下部フランジボルト（７６）と係合すべき少なくとも１個のナット（１２８）を有するナットバー（６４）を更に含む請求項５記載の下降管連結装置（３６）。
【請求項７】  前記下部フランジボルト（７６）と係合すべきクランプ（６８）を更に含む請求項６記載の下降管連結装置（３６）。
【請求項８】  前記くさびハウジング（４８）及び前記下降管（２０）と係合すべき管シール（５０）を更に含む請求項１乃至７に記載の下降管連結装置（３６）。
【請求項９】  前記管シール（５０）が柔軟な二重ダイアフラム型の封止装置である請求項８記載の下降管連結装置（３６）。
【請求項１０】  前記下部フランジ（６２）及び前記シュラウド（１２）と係合すべきシュラウドシール（６０）を更に含む請求項４記載の下降管連結装置（３６）。
【請求項１１】  下降管連結装置（３６）を用いて原子炉（１０）内の炉心シュラウド（１２）に炉心スプレー管路の下降管（２０）を連結するための方法において、
前記下降管連結装置（３６）に前記下降管（２０）を連結する工程と、
前記炉心シュラウド（１２）に前記下降管連結装置（３６）を連結する工程とを含むことを特徴とする方法。
【請求項１２】  前記下降管連結装置（３６）がくさびフランジ（４０）及びくさび（４４）を含んでいて、前記下降管連結装置（３６）に前記下降管（２０）を連結する前記工程が前記くさびフランジ（４０）及び前記くさび（４４）内に前記下降管（２０）を挿入する工程を含む請求項１１記載の方法。
【請求項１３】  前記下降管連結装置（３６）が少なくとも１つの第２のフランジボルト穴（１０２）を有するくさびハウジング（４８）及び少なくとも１本の第１のフランジボルト（７２）を含み、かつ前記くさびフランジ（４０）が少なくとも１つの第２のフランジボルト穴（１０２）を有していて、前記下降管連結装置（３６）に前記下降管（２０）を連結する前記工程が前記くさびフランジ（４０）及び前記くさびハウジング（４８）のボルト穴（１０２）の中に前記くさびフランジボルト（７２）を挿入する工程を更に含む請求項１２記載の方法。
【請求項１４】  前記下降管連結装置（３６）が管シール（５０）を含んでいて、前記下降管連結装置（３６）に前記下降管（２０）を連結する前記工程が前記下降管（２０）と前記下降管連結装置（３６）との間に前記管シール（５０）を係合させる工程を更に含む請求項１３記載の方法。
【請求項１５】  前記下降管連結装置（３６）が少なくとも１つのボルト穴を有する下部フランジ（６２）を含み、前記下降管連結装置（３６）が少なくとも１本の下部フランジボルト（７６）を含み、かつ前記炉心シュラウド（１２）が少なくとも１つのボルト穴を有していて、前記炉心シュラウド（１２）に前記下降管連結装置（３６）を連結する前記工程が前記下部フランジのボルト穴及び前記炉心シュラウドのボルト穴の中に前記下部フランジボルト（７６）を挿入する工程を含む請求項１２記載の方法。
【請求項１６】  前記下降管連結装置（３６）がシュラウドシール（６０）を含んでいて、前記炉心シュラウド（１２）に前記下降管連結装置（３６）を連結する前記工程が前記下部フランジ（６２）と前記炉心シュラウド（１２）との間に前記シュラウドシール（６０）を係合させる工程を更に含む請求項１５記載の方法。
【請求項１７】  前記下降管連結装置（３６）が少なくとも１個のナット（１２８）を有するナットバー（６４）を含んでいて、前記炉心シュラウド（１２）に前記下降管連結装置（３６）を連結する前記工程が前記炉心シュラウド（１２）の内側に前記ナットバー（６４）を配置して前記下部フランジボルト（７６）を前記ナットバーのナット（１２８）に係合させる工程を更に含む請求項１５記載の方法。
【請求項１８】  前記下降管連結装置（３６）が少なくとも１個の圧入式緩み止めカラー（１６０）を含んでいて、前記炉心シュラウド（１２）に前記下降管連結装置（３６）を連結する前記工程が前記圧入式緩み止めカラー（１６０）を用いて前記下部フランジボルト（７６）を固定する工程を更に含む請求項１５記載の方法。
【請求項１９】  前記下降管連結装置（３６）がクランプ（６８）を含んでいて、前記炉心シュラウド（１２）に前記炉心スプレー管路（２０）を連結する前記工程が前記炉心シュラウド（１２）の内側に前記クランプ（６８）を配置して前記下部フランジボルト（７６）を前記クランプ（６８）に係合させる工程を更に含む請求項１１記載の方法。
【請求項２０】  少なくとも１つの第１のだぼボルト穴（１３６）を有する炉心スプレー管路の下降管（２０）を原子炉（１０）内の炉心シュラウド（１２）に連結するための下降管連結装置（３６）において、
円錐台形部（９２）と前記円錐台形の大径端（１００）に位置するハウジングフランジ（９６）とを有するくさびハウジング（４８）であって、さらに、少なくとも１つのねじ切りされた第２のだぼボルト穴（１０２）を有し、このだぼボルト穴（１０２）の各々が、下降管（２０）内に設けられた前記第１のだぼボルト穴（１３６）と略整合するように構成されたくさびハウジング（４８）と、
前記くさびハウジング（４８）内に配置された複数のセグメント（８４）を有するくさび（４４）と、
くさびフランジ（４０）と、
各々が前記くさびハウジング（４８）内の前記第２のだぼボルト穴（１０２）と前記下降管（２０）を貫通するように構成された少なくとも１つの第１のだぼボルト（７４）、
とを含むことを特徴とする下降管連結装置（３６）。
【請求項２１】  前記くさびフランジ（４０）及び前記くさびハウジング（４８）の各々が少なくとも１つのくさびフランジボルト穴を有すると共に、前記装置（３６）が互いに整列した前記くさびフランジボルト穴を貫通して延びるように形成された少なくとも１本のくさびフランジボルト（７２）を更に含む請求項２０記載の下降管連結装置（３６）。
【手続補正２】
【補正対象書類名】明細書
【補正対象項目名】０００７
【補正方法】変更
【補正の内容】
【０００７】
従って、シュラウドの炉心スプレースパージャのＴボックスに取付けられた炉心スプレー管路の下降管の交換を容易にする装置を提供することは望ましいわけである。また、現場溶接の必要なしに設置される上記のごとき装置を提供することも望ましいのである。
【特許文献１】米国特許第４０４８２６７  号  １９７７年９月発行
【特許文献２】米国特許第４２３８２９１  号  １９８０年１２月発行
【特許文献３】米国特許第４４５２４７４  号  １９８４年６月発行
【特許文献４】米国特許第４６４７０８４  号  １９８７年３月発行
【特許文献５】米国特許第４６４８６３２  号  １９８７年３月発行
【特許文献６】米国特許第４８３２３７９  号  １９８９年５月発行
【特許文献７】米国特許第４８４０４０９  号  １９８９年６月発行
【特許文献８】米国特許第４８８７８４９  号  １９８９年１２月発行
【特許文献９】米国特許第５４６６１０７  号  １９９５年１１月発行
【特許文献１０】米国特許第５７３５５５１  号  １９９８年４月発行
【特許文献１１】米国特許第５７３７３８０  号  １９９８年４月発行
【特許文献１２】米国特許第５８０６８３３  号  １９９８年９月発行
【特許文献１３】米国特許第５９１２９３６  号  １９９９年６月発行